(57)【要約】  【課題】可燃性を有するＨＣ冷媒の冷却装置の自動販売機において、冷媒漏れに対するリスクを低減し安全性を高める。  【解決手段】圧縮機５と凝縮器６と凝縮器ファン７と可燃性冷媒９とからなる冷却装置８と、凝縮器６の出口配管から液管部１３に凝縮器温度検知手段１２を備え、前記凝縮器温度検知手段１２が所定温度を超えた場合は、凝縮器ファン７の故障と判断しリモコン表示部１４に故障表示させることでメンテナンスを促し、凝縮器ファン７の修理を行うことで継続して安全性を確保することができる。【選択図】図１
2005128685.tif 000002
【特許請求の範囲】
【請求項１】
商品を収納する断熱構造の収納室と、収納室内に商品を収納する収納棚と、収納室を冷却する冷却器を備え、商品を冷却し販売する自動販売機において、収納室と隔離された機械室に圧縮機と凝縮器と凝縮器ファンと可燃性冷媒とからなる冷却装置と、凝縮器の出口配管から液管部に凝縮器温度検知手段を備え、前記凝縮器温度検知手段が所定温度を超えた場合は、表示部に故障表示を行うことを特徴とした自動販売機。
【請求項２】
扉下部に外気温度検知手段を備え、前記凝縮器温度検知手段が外気温度別に決められた所定温度を超えた場合は、表示部に故障表示を行うことを特徴とした請求項１に記載の自動販売機。
【請求項３】
警報ランプを備え、前記凝縮器温度検知手段が所定温度を超えた場合は、警報ランプを点灯または点滅させることを特徴とした請求項１または２に記載の自動販売機。
【請求項４】
警報ブザーを備え、前記凝縮器温度検知手段が所定温度を超えた場合は、警報ブザーを鳴らすことを特徴とした請求項１または２に記載の自動販売機。
【請求項５】
前記凝縮器温度検知手段が所定温度を超えた場合は、前記冷却装置への通電を停止させることを特徴とした請求項１から４のいずれか一項に記載の自動販売機。
【請求項６】
前記凝縮器温度検知手段が所定温度を超えた場合は、扉の商品選択釦に売り切れ表示を行い、冷却設定庫内の販売を停止させることを特徴とした請求項１から５のいずれか一項に記載の自動販売機。
【発明の詳細な説明】
【技術分野】
【０００１】
本発明は、可燃性冷媒を使用した冷却装置を用いた自動販売機に関するものである。
【背景技術】
【０００２】
近年、地球のオゾン層を保護する観点から、冷却装置の冷凍サイクルに使用されていた冷媒ＣＦＣ（クロロフルオロカーボン）−１２あるいはＨＣＦＣ（ハイドロクロロフルオロカーボン）−２２といった塩素原子を含んだ冷媒の使用が規制され、塩素原子を含まず、オゾン層を破壊しないＨＦＣ（ハイドロフルオロカーボン）冷媒への転換が進行している。
【０００３】
また、従来、主にＨＣＦＣ−２２を用いていた自動販売機においては、その代替冷媒としてＨＦＣ冷媒の混合冷媒であるＲ４０７Ｃが採用され販売されている。
【０００４】
しかしながら、現在用いられているＲ４０７ＣなどのＨＦＣ冷媒は、オゾン層破壊はないものの、地球温暖化係数が高いため、地球温暖化に対しては不十分な冷媒となり、そのため地球温暖化係数の低い冷媒として、ＨＦＣに代わってＨＣ（ハイドロカーボン）等の自然系冷媒が注目されている。
【０００５】
一方、ＨＣ系冷媒は可燃性を有しているため、冷却装置における冷凍サイクルの冷媒として使用する場合には安全性確保が課題であり、冷媒漏れに対する配慮、つまり拡散対策による事前予防策が必要である。
【０００６】
このことから、密閉された庫内に可燃性冷媒を漏らさないようにした例として冷凍装置をカスケード式に接続し、可燃性冷媒を使用した冷凍サイクルは庫外に設け、庫内側にはブラインを流し冷却する方法（例えば、特許文献１参照）があります。
【０００７】
また、可燃性冷媒の漏洩が生じても内部への冷媒漏れを少なくし、発火、爆発の危険性を回避できる冷蔵庫について開示したもの（例えば、特許文献２参照）があります。
【０００８】
また、庫内での冷媒の漏れを検知し、ダンパーを設けた排気口より漏洩冷媒を排出させる自動販売機について開示したもの（例えば、特許文献３参照）があります。
【特許文献１】特開２００１−１１８１３４号公報
【特許文献２】特開平９−４２８１７号公報
【特許文献３】特開２００１−１３４８２７号公報
【発明の開示】
【発明が解決しようとする課題】
【０００９】
しかし、自動販売機等においては、冷却システムの配管は庫内だけでなく、自動販売機の本体下部に設けられた機械室内の冷却システムからの冷媒の漏れも考えられる。
【００１０】
また、自動販売機の設置状況では背面が壁等で塞がれている場合が多く、機械室内に漏洩冷媒が滞留することが考えられる。万一の冷媒漏洩時には、爆発濃度に達する前に周囲に拡散させる必要がある。
【００１１】
機械室内に漏れた冷媒を拡散させるには、主に凝縮器ファンの風による拡散効果が大きいと考えられる。そのため、凝縮器ファンは凝縮器を冷却させる役割の他に、漏洩冷媒を拡散させる役割をも兼ねている。
【００１２】
そこで、万一凝縮器ファンが故障していた時に、冷媒漏洩が発生した場合には漏洩冷媒を拡散させることができないため、凝縮器ファンが常に正常に運転できるように監視する必要がある。
【００１３】
本発明は、上記従来の課題を解決するもので、冷凍サイクルの冷媒として可燃性冷媒を使用しても、リスクを低減した安全性の高い自動販売機を提供することを目的とする。
【課題を解決するための手段】
【００１４】
上記従来の課題を解決するために本発明の自動販売機は、収納室と隔離された機械室に圧縮機と凝縮器と凝縮器ファンと可燃性冷媒とからなる冷却装置と、凝縮器の出口配管から液管部に凝縮器温度検知手段を備え、前記凝縮器温度検知手段が所定温度を超えた場合は、前記凝縮器温度検知手段が所定温度を超えた場合は、表示部に故障表示を行うものであり、凝縮器ファンが故障により、ファンの回転が停止し、凝縮器を冷却できない状態となり、さらに凝縮器温度検知手段が凝縮器の温度が上昇することを検知することで凝縮器ファンが故障したと判断し表示部に凝縮器ファンの故障表示を行う。
【発明の効果】
【００１５】
以上説明したように本発明の自動販売機は、可燃性冷媒を使用した冷却装置において、凝縮器の出口配管から液管部に凝縮器温度検知手段を備え、前記凝縮器温度検知手段が所定温度を超えた場合は、凝縮器ファンの故障と判断し表示部に故障表示を行うものであり、万が一冷媒配管から冷媒漏れが起こった場合には、凝縮器ファンの拡散により可燃性ガスの空気中の濃度を早く低下させ冷媒漏れ時のリスクを低減し安全性確保を行うようにしているので、凝縮器ファンの故障時に表示部に故障表示させることでメンテナンスを促し、修理を行うことで継続して安全性を確保することができる。
【発明を実施するための最良の形態】
【００１６】
本発明の請求項１に記載の自動販売機は、収納室と隔離された機械室に圧縮機と凝縮器と凝縮器ファンと可燃性冷媒とからなる冷却装置と、凝縮器の出口配管から液管部に凝縮器温度検知手段を備え、前記凝縮器温度検知手段が所定温度を超えた場合は、前記凝縮器温度検知手段が所定温度を超えた場合は、表示部に故障表示を行うものであり、凝縮器ファンが故障により、ファンの回転が停止し、凝縮器を冷却できない状態となり、さらに凝縮器温度検知手段が凝縮器の温度が上昇することを検知することで凝縮器ファンが故障したと判断し表示部に凝縮器ファンの故障表示を行う。
【００１７】
また、請求項２に記載の自動販売機は、扉下部に外気温度検知手段を備え、前記凝縮器温度検知手段が外気温度別に決められた所定温度を超えた場合は、表示部に故障表示を行うものであり、外気温度検知手段にて外気温度を検知することで、凝縮器温度検知手段で検知した温度を補正し、凝縮器そのものの温度上昇分を算出することで凝縮器温度検知手段での誤検知を防止する。
【００１８】
請求項３に記載の自動販売機は、警報ランプを備え、前記凝縮器温度検知手段が所定温度を超えた場合は、凝縮器ファンの故障と判断し表示部に故障表示を行うとともに警報ランプを点灯または点滅させるものであり、
通常の表示部では故障状態を通知することが不十分な場合、さらに自動販売機の外部に設けた警報ランプを点灯、点滅させることで凝縮器ファンの故障状態を知らせる。
【００１９】
請求項４に記載の自動販売機は、警報ブザーを備え、前記凝縮器温度検知手段が所定温度を超えた場合は、凝縮器ファンの故障と判断し表示部に故障表示を行うとともに警報ブザーを鳴らすものであり、周囲の環境によって表示器やランプでは故障状態を通知するこ
とが不十分な場合、警報ブザーを鳴らすことにより音で故障を知らせる。
【００２０】
請求項５に記載の自動販売機は、前記凝縮器温度検知手段が所定温度を超えた場合は、凝縮器ファンの故障と判断し表示部に故障表示を行うとともに前記冷却装置への通電を停止させるものであり、凝縮器ファンの故障状態での冷却装置の運転は高圧圧力が上昇し、圧縮機への負担を増大させることを防止し、凝縮器ファンの故障時に冷却装置を停止させて、故障範囲が広がることを防ぐ。
【００２１】
請求項６に記載の自動販売機は、前記凝縮器温度検知手段が所定温度を超えた場合は、凝縮器ファンの故障と判断し表示部に故障表示を行うとともに扉の商品選択釦に売り切れ表示を行い、冷却設定庫内の販売を停止させるものであり、販売停止にすることですぐに誰にでも異常な状態であることを知らしめる。
【００２２】
以下、本発明による自動販売機の実施の形態について、図面を参照しながら説明する。
【００２３】
（実施の形態１）
図１は、本発明の実施の形態１による自動販売機の側面断面図である。図１において、収納室１は断熱材により半密閉構造となっている。収納棚２は販売される商品を冷却保存するものである。冷却器３は収納室を冷却するものである。機械室４は収納室１と隔離されており、圧縮機５と凝縮器６と凝縮器ファン７が収納されている。冷却装置８は圧縮機５と凝縮器６と減圧装置（図示せず）と冷却器３を順次接続し、前記収納室１内を冷却するものである。可燃性冷媒９は冷却装置８に封入されたもので、Ｒ２９０単一冷媒、Ｒ６００ａ単一冷媒もしくはＲ２９０を含む混合冷媒である。庫内ファン１０は収納室１に設けられ、ダクト１１は冷気を循環させるためのものである。凝縮器温度検知手段１２は前記凝縮器６の出口配管から液管部１３に密着して取り付けられたもので、例えばサーミスタ等である。表示部１４は扉１５に設けられており、表示部１４は実際にはリモコン操作部に設けられた表示や、制御ボックスに設けられた表示等である。
【００２４】
以上のように構成された自動販売機についてその動作を説明する。
【００２５】
収納棚２に収納された商品を冷却する場合、冷却装置８の運転を行い、庫内ファン１０により冷却器３で冷却された冷気を循環させる。庫内ファン１０により冷気は収納棚２に収納された商品を冷却し、ダクト１１を通り再度冷却器３へ戻り冷却を繰り返す。
【００２６】
このとき冷却装置８に封入された可燃性冷媒９は、圧縮機５で圧縮され高温高圧ガスとなり、凝縮器６で凝縮器ファン７により冷却されることで液化される。液化した可燃性冷媒９は、減圧装置（図示せず）で減圧され、冷却器３で蒸発しガス化する。ガス化するとき蒸発潜熱により冷却器が冷却され、庫内ファン１０により冷気が循環され商品が冷却される。
【００２７】
可燃性冷媒９は冷却装置８に封入され密閉されているので、通常使用においては漏れ出すこともなく心配ないが、誤って配管を傷つけたり、配管振動などにより配管が損傷し、機械室４で不測に冷媒が漏れると、凝縮器ファン７により拡散され可燃性ガスの空気中の濃度を早く低下させることができる。凝縮器ファン７は、一般的には圧縮機５と同期運転するようになっており冷媒が流れる場合のみ通電されるが、可燃性冷媒９を用いた冷却装置８では万が一の場合の安全性確保のため常時通電するようにしている。Ｒ２９０単一冷媒、Ｒ６００ａ単一冷媒もしくはＲ２９０を含む混合冷媒はいずれも空気に対する比重が大きいため、下方に潜るような状態で拡散していく。よって、凝縮器ファン７により拡散された可燃性ガスは機械室４の前部と後部の通気孔、機械室４の底面から自動販売機の外部へ排出され、自動販売機の周辺により早く拡散させることができる。
【００２８】
図２は、本発明の実施の形態１による自動販売機のブロック図である。図３は、同実施の形態の動作を示すフローチャートである。
【００２９】
図において、比較判定手段１６は凝縮器温度検知手段１２で検知した凝縮器６の温度と予め設定されている所定の判定温度とを比較判定するものである。演算制御部１７は前記比較判定手段１６からの信号を基に表示部１４に故障表示を行うもので前記比較判定手段１６を内蔵したものである。
【００３０】
以上のように構成された自動販売機についてその要部動作を図３のフローチャートを参照して説明する。
【００３１】
まず、ステップ１において、凝縮器温度検知手段１２により凝縮器６の温度Ｔｃを検知する。次に、ステップ２において、比較判定手段１６で予め設定されている所定の判定温度Ｔ１と比較判定を行う。ＴｃがＴ１より高い場合は凝縮器ファン７が故障であると判定し、ステップ３において表示部１４に凝縮器ファン７の故障表示を行う。
【００３２】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が所定温度を超えることで凝縮器ファン７の故障を判定することができる。
【００３３】
以上のように本実施の形態の自動販売機は、収納室１と隔離された機械室４に圧縮機５と凝縮器６と凝縮器ファン７と可燃性冷媒９とからなる冷却装置８と、凝縮器６の出口配管から液管部１３に備えた凝縮器温度検知手段１２とから構成され、前記凝縮器温度検知手段１２が所定温度を超えた場合は、凝縮器ファン７の故障と判断し表示部１４に故障表示を行うものであり、凝縮器ファン７のメンテナンスを促し、修理を行うことで継続して安全性を確保することができる。
【００３４】
（実施の形態２）
以下、本発明による自動販売機の実施の形態２について、図面を参照しながら説明する。なお、実施の形態１と同一構成については同一符号を付して、詳細な説明を省略する。
【００３５】
図４は、本発明の実施の形態２による自動販売機の側面断面図である。図５は、本発明の実施の形態２による自動販売機のブロック図である。図６は、同実施の形態の動作を示すフローチャートである。
【００３６】
図において、外気温度検知手段１８は扉１５の下部に取り付けられており、例えばサーミスタ等である。比較判定手段１６ａは外気温度検知手段１８で検知した外気温度から算出した判定温度と凝縮器温度検知手段１２で検知した凝縮器６の温度とを比較判定するものである。演算制御部１７ａは前記比較判定手段１６ａからの信号を基に表示部１４に故障表示を行うもので前記比較判定手段１６ａを内蔵したものである。
【００３７】
以上のように構成された自動販売機についてその要部動作を図６のフローチャートを参照して説明する。
【００３８】
まず、ステップ４において、凝縮器温度検知手段１２により凝縮器６の温度Ｔｃを検知する。ステップ５において、外気温度検知手段１８により外気温度Ｔａを検知する。ステップ６において、演算制御部１７ａにおいて外気温度Ｔａの場合の故障判定温度Ｔ２を予め設定されている方法にて算出する。例えば、Ｔ２＝Ａ×Ｔａ＋ＢにあてはめてＴ２を求
める。次に、ステップ７において比較判定手段１６ａで故障判定温度Ｔ２と比較判定を行う。ＴｃがＴ２より高い場合は凝縮器ファン７が故障であると判定し、ステップ８において表示部１４に凝縮器ファン７の故障表示を行う。
【００３９】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が外気温度別に決められた所定温度を超えることで故障判定を外気温度にそって行うので、凝縮器ファン７の故障をより確実に早く判定することができる。
【００４０】
以上のように本実施の形態の自動販売機は、扉１５下部に外気温度検知手段１８を備え、前記凝縮器温度検知手段１２が外気温度別に決められた所定温度を超えた場合は、凝縮器ファン７の故障と判断し表示部１４に故障表示を行うものであり、故障判定を外気温度別に行うので、より確実に早く行うことができ、凝縮器ファン７の故障時に表示部１４に故障表示させることでメンテナンスを促し、修理を行うことで継続して安全性を確保することができる。
【００４１】
（実施の形態３）
以下、本発明による自動販売機の実施の形態３について、図面を参照しながら説明する。なお、実施の形態１、実施の形態２と同一構成については同一符号を付して、詳細な説明を省略する。
【００４２】
図７は、本発明の実施の形態３による自動販売機の側面断面図である。図８は、本発明の実施の形態３による自動販売機のブロック図である。図９は、同実施の形態の動作を示すフローチャートである。
【００４３】
図において、警報ランプ１９は扉１５に取り付けられている。比較判定手段１６ｂは外気温度検知手段１８で検知した外気温度から算出した判定温度と凝縮器温度検知手段１２で検知した凝縮器６の温度とを比較判定するものである。演算制御部１７ｂは前記比較判定手段１６ｂからの信号を基に表示部１４に故障表示を行うとともに警報ランプ１９を点灯または点滅させるもので前記比較判定手段１６ｂを内蔵したものである。
【００４４】
以上のように構成された自動販売機についてその要部動作を図９のフローチャートを参照して説明する。
【００４５】
まず、ステップ９において、凝縮器温度検知手段１２により凝縮器６の温度Ｔｃを検知する。ステップ１０において、外気温度検知手段１８により外気温度Ｔａを検知する。ステップ１１において、演算制御部１７ｂにおいて外気温度Ｔａの場合の故障判定温度Ｔ２を予め設定されている方法にて算出する。例えば、Ｔ２＝Ａ×Ｔａ＋ＢにあてはめてＴ２を求める。次に、ステップ１２において比較判定手段１６ｂで故障判定温度Ｔ２と比較判定を行う。ＴｃがＴ２より高い場合は凝縮器ファン７が故障であると判定し、ステップ１３において表示部１４に凝縮器ファン７の故障表示を行う。さらにステップ１４において警報ランプ１９を点灯または点滅させる。
【００４６】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が外気温度別に決められた所定温度を超えることで故障判定を外気温度にそって行うので、凝縮器ファン７の故障をより確実に早く判定することができ、凝縮器ファン７の故障時に表示部１４に故障表示させるとともに警報ランプ１９を点灯または点滅させることで故障を確実に知らしめることができる。
【００４７】
以上のように本実施の形態の自動販売機は、警報ランプ１９と扉１５下部に外気温度検知手段１８を備え、前記凝縮器温度検知手段１２が外気温度別に決められた所定温度を超えた場合は、凝縮器ファン７の故障と判断し表示部１４に故障表示を行うとともに警報ランプ１９を点灯または点滅させることで扉１５を開けると一目瞭然に故障を確実に知らしめ、メンテナンスを促し、修理を行うことで継続して安全性を確保することができる。
【００４８】
（実施の形態４）
以下、本発明による自動販売機の実施の形態４について、図面を参照しながら説明する。なお、実施の形態１、実施の形態２、実施の形態３と同一構成については同一符号を付して、詳細な説明を省略する。
【００４９】
図１０は、本発明の実施の形態４による自動販売機の側面断面図である。図１１は、本発明の実施の形態４による自動販売機のブロック図である。図１２は、同実施の形態の動作を示すフローチャートである。
【００５０】
図において、警報ブザー２０は扉１５に取り付けられている。比較判定手段１６ｃは外気温度検知手段１８で検知した外気温度から算出した判定温度と凝縮器温度検知手段１２で検知した凝縮器６の温度とを比較判定するものである。演算制御部１７ｃは前記比較判定手段１６ｃからの信号を基に表示部１４に故障表示を行うとともに警報ブザー２０を鳴らすもので前記比較判定手段１６ｃを内蔵したものである。
【００５１】
以上のように構成された自動販売機についてその要部動作を図１２のフローチャートを参照して説明する。
【００５２】
まず、ステップ１５において、凝縮器温度検知手段１２により凝縮器６の温度Ｔｃを検知する。ステップ１６において、外気温度検知手段１８により外気温度Ｔａを検知する。ステップ１７において、演算制御部１７ｃにおいて外気温度Ｔａの場合の故障判定温度Ｔ２を予め設定されている方法にて算出する。例えば、Ｔ２＝Ａ×Ｔａ＋ＢにあてはめてＴ２を求める。次に、ステップ１８において比較判定手段１６ｃで故障判定温度Ｔ２と比較判定を行う。ＴｃがＴ２より高い場合は凝縮器ファン７が故障であると判定し、ステップ１９において表示部１４に凝縮器ファン７の故障表示を行う。さらにステップ２０において警報ブザー２０を鳴らす。
【００５３】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が外気温度別に決められた所定温度を超えることで故障判定を外気温度にそって行うので、凝縮器ファン７の故障をより確実に早く判定することができ、凝縮器ファン７の故障時に表示部１４に故障表示させるとともに警報ブザー２０を鳴らすことで音により故障を確実に知らしめることができる。
【００５４】
以上のように本実施の形態の自動販売機は、警報ブザー２０と扉１５下部に外気温度検知手段１８を備え、前記凝縮器温度検知手段１２が外気温度別に決められた所定温度を超えた場合は、凝縮器ファン７の故障と判断し表示部１４に故障表示を行うとともに警報ブザー２０を鳴らすことで扉を閉めた状態においても音により故障を確実に知らしめ、メンテナンスを促し、修理を行うことで継続して安全性を確保することができる。
【００５５】
（実施の形態５）
以下、本発明による自動販売機の実施の形態５について、図面を参照しながら説明する。なお、実施の形態１から実施の形態４と同一構成については同一符号を付して、詳細な
説明を省略する。
【００５６】
図１３は、本発明の実施の形態５による自動販売機のブロック図である。図１４は、同実施の形態の動作を示すフローチャートである。
【００５７】
図において、比較判定手段１６ｄは外気温度検知手段１８で検知した外気温度から算出した判定温度と凝縮器温度検知手段１２で検知した凝縮器６の温度とを比較判定するものである。演算制御部１７ｄは前記比較判定手段１６ｄからの信号を基に表示部１４に故障表示を行うとともに冷却装置８への通電を停止するもので前記比較判定手段１６ｄを内蔵したものである。
【００５８】
以上のように構成された自動販売機についてその要部動作を図１４のフローチャートを参照して説明する。
【００５９】
まず、ステップ２１において、凝縮器温度検知手段１２により凝縮器６の温度Ｔｃを検知する。ステップ２２において、外気温度検知手段１８により外気温度Ｔａを検知する。ステップ２３において、演算制御部１７ｄにおいて外気温度Ｔａの場合の故障判定温度Ｔ２を予め設定されている方法にて算出する。例えば、Ｔ２＝Ａ×Ｔａ＋ＢにあてはめてＴ２を求める。次に、ステップ２４において比較判定手段１６ｄで故障判定温度Ｔ２と比較判定を行う。ＴｃがＴ２より高い場合は凝縮器ファン７が故障であると判定し、ステップ２５において表示部１４に凝縮器ファン７の故障表示を行う。さらにステップ２６において冷却装置８への通電を停止する。冷却装置８の制御対象電気部品は、圧縮機５・凝縮器ファン７・庫内ファン１０の他に複数個の収納室１を備えている場合には電磁弁（図示せず）などがあり、これら全てが停止することになる。
【００６０】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が外気温度別に決められた所定温度を超えることで故障判定を外気温度にそって行うので、凝縮器ファン７の故障をより確実に早く判定することができ、凝縮器ファン７の故障時に表示部１４に故障表示させるとともに冷却装置８への通電を停止することができる。
【００６１】
以上のように本実施の形態の自動販売機は、扉１５下部に外気温度検知手段１８を備え、前記凝縮器温度検知手段１２が外気温度別に決められた所定温度を超えた場合は、凝縮器ファン７の故障と判断し表示部１４に故障表示を行うとともに冷却装置８への通電を停止させるものであり、凝縮器ファン７の故障状態での冷却装置８の運転は高圧圧力が上昇し  圧縮機５への負担を増大させるので、凝縮器ファン７の故障時に冷却装置８を停止させて信頼性を確保したうえで、凝縮器ファン７のメンテナンスを促し、修理を行うことで継続して安全性を確保することができる。
【００６２】
（実施の形態６）
以下、本発明による自動販売機の実施の形態６について、図面を参照しながら説明する。なお、実施の形態１から実施の形態５と同一構成については同一符号を付して、詳細な説明を省略する。
【００６３】
図１５は、本発明の実施の形態６による自動販売機の側面断面図である。図１６は、本発明の実施の形態６による自動販売機のブロック図である。図１７は、同実施の形態の動作を示すフローチャートである。
【００６４】
図において、商品選択釦２１は扉１５の表面に設けられ販売時に商品を選択するための
もので、個々の商品に対応して売り切れ表示もできるようになっている。比較判定手段１６ｅは外気温度検知手段１８で検知した外気温度から算出した判定温度と凝縮器温度検知手段１２で検知した凝縮器６の温度とを比較判定するものである。演算制御部１７ｅは前記比較判定手段１６ｅからの信号を基に表示部１４に故障表示を行うとともに冷却設定庫内の商品選択釦２１に売り切れ表示を行い、さらに冷却設定庫内の商品販売停止を行うもので前記比較判定手段１６ｅを内蔵したものである。
【００６５】
以上のように構成された自動販売機についてその要部動作を図１７のフローチャートを参照して説明する。
【００６６】
まず、ステップ２７において、凝縮器温度検知手段１２により凝縮器６の温度Ｔｃを検知する。ステップ２８において、外気温度検知手段１８により外気温度Ｔａを検知する。ステップ２９において、演算制御部１７ｅにおいて外気温度Ｔａの場合の故障判定温度Ｔ２を予め設定されている方法にて算出する。例えば、Ｔ２＝Ａ×Ｔａ＋ＢにあてはめてＴ２を求める。次に、ステップ３０において比較判定手段１６ｅで故障判定温度Ｔ２と比較判定を行う。ＴｃがＴ２より高い場合は凝縮器ファン７が故障であると判定し、ステップ３１において表示部１４に凝縮器ファン７の故障表示を行う。さらにステップ３２において冷却設定庫内の商品選択釦２１に売り切れ表示を行い、さらに冷却設定庫内の商品販売停止を行う。自動販売機は複数個の収納室１を備えている場合には、冷却設定と加温設定ができるようになっている場合があり、冷却設定されている収納室１は、販売停止となり、加温設定の収納室のみ販売できることになる。
【００６７】
つまり、凝縮器ファン７の故障時は、圧縮機５で圧縮された高温高圧ガスは、凝縮器ファン７により冷却されないので凝縮器６で凝縮できず高温高圧ガスの状態であり、凝縮器６の温度は上昇する。よって、凝縮器６の温度が外気温度別に決められた所定温度を超えることで故障判定を外気温度にそって行うので、凝縮器ファン７の故障をより確実に早く判定することができ、凝縮器ファン７の故障時に表示部１４に故障表示させるとともに冷却設定庫内の商品選択釦２１に売り切れ表示を行い、さらに冷却設定庫内の商品販売停止を行うことができる。
【００６８】
以上のように本実施の形態の自動販売機は、扉１５下部に外気温度検知手段１８を備え、前記凝縮器温度検知手段１２が外気温度別に決められた所定温度を超えた場合は、凝縮器ファン７の故障と判断し表示部１４に故障表示を行うとともに冷却設定庫内の商品選択釦２１に売り切れ表示を行い、さらに冷却設定庫内の商品販売停止を行うものであり、  販売停止にすることですぐに誰にでも異常な状態であることを知らしめることができ、凝縮器ファンの故障時に、より早く確実に凝縮器ファンのメンテナンスを促し、修理を行うことで継続して安全性を確保することができる。
【産業上の利用可能性】
【００６９】
以上のように本発明にかかる自動販売機は、万が一冷媒配管から可燃性冷媒漏れが起こった場合に、凝縮器ファンにより可燃性ガスの空気中濃度を低下させて安全性を確保し、凝縮器ファンの故障時には故障表示させることでメンテナンスを促し、安全性を確保することができ、自動販売機以外にも可燃性冷媒を用いた冷却機器の分野に適用できる。
【図面の簡単な説明】
【００７０】
【図１】本発明による自動販売機の実施の形態１の側面断面図
【図２】同実施の形態の自動販売機のブロック図
【図３】同実施の形態の自動販売機の動作を示すフローチャート
【図４】本発明による自動販売機の実施の形態２の側面断面図
【図５】同実施の形態の自動販売機のブロック図
【図６】同実施の形態の自動販売機の動作を示すフローチャート
【図７】本発明による自動販売機の実施の形態３の側面断面図
【図８】同実施の形態の自動販売機のブロック図
【図９】同実施の形態の自動販売機の動作を示すフローチャート
【図１０】本発明による自動販売機の実施の形態４の側面断面図
【図１１】同実施の形態の自動販売機のブロック図
【図１２】同実施の形態の自動販売機の動作を示すフローチャート
【図１３】本発明による自動販売機の実施の形態５のブロック図
【図１４】同実施の形態の自動販売機の動作を示すフローチャート
【図１５】本発明による自動販売機の実施の形態６の側面断面図
【図１６】同実施の形態の自動販売機のブロック図
【図１７】同実施の形態の自動販売機の動作を示すフローチャート
【符号の説明】
【００７１】
１    収納室
２    収納棚
３    冷却器
４    機械室
５    圧縮機
６    凝縮器
７    凝縮器ファン
８    冷却装置
９    可燃性冷媒
１２  凝縮器温度検知手段
１３  液管部
１４  表示部
１５  扉
１８  外気温度検知手段
１９  警報ランプ
２０  警報ブザー
２１  商品選択釦
【図１】
2005128685.tif 000003
【図２】
2005128685.tif 000004
【図３】
2005128685.tif 000005
【図４】
2005128685.tif 000006
【図５】
2005128685.tif 000007
【図６】
2005128685.tif 000008
【図７】
2005128685.tif 000009
【図８】
2005128685.tif 000010
【図９】
2005128685.tif 000011
【図１０】
2005128685.tif 000012
【図１１】
2005128685.tif 000013
【図１２】
2005128685.tif 000014
【図１３】
2005128685.tif 000015
【図１４】
2005128685.tif 000016
【図１５】
2005128685.tif 000017
【図１６】
2005128685.tif 000018
【図１７】
2005128685.tif 000019